(57)【要約】【課題】電源として電池を使用することが可能な光ディスク再生装置において、バックライトの明るさを最も暗くなるように設定するなど消費電力が最小になるように設定しても、電池残容量により装置が動作可能な時間よりも記録媒体に記録された映画や音楽の所定の再生時間が長い場合には、映画や音楽の再生を最後まで完了することが出来ない。【解決手段】電池の残容量を基にして装置の動作可能時間を予測し、記録媒体に記録された映画や音楽の所定の再生時間と比較し、予測された動作可能時間が記録媒体に記録された映像や音声の所定の再生時間よりも短い場合には、予測された動作可能時間内に記録媒体に記録された映像や音声データを再生完了するように、映像や音声の再生速度を所定の速度よりも高速にするようにシステム制御を行う。これにより、記録媒体に記録された映画や音楽を全て視聴することができる。【選択図】図１
2005235343.tif 000002
【特許請求の範囲】
【請求項１】
記録媒体に記録された映像や音声データを読み出して用いる光ディスク再生装置であって、前記記録媒体から映像や音声データを再生する再生手段と、前記再生手段で再生された映像や音声の再生速度を所定の速度から任意に変更する再生速度変換手段と、電源として用いる電池の残容量を検出する残量検出手段と、前記残量検出手段で検出された電池残容量を基にして装置が動作可能な時間を予測する再生可能時間予測手段と、前記再生手段で再生する映像音声データの再生時間と前記再生可能時間予測手段で予測した動作可能時間とを比較し再生制御を行う制御手段とを備え、
前記制御手段は、前記再生可能時間予測手段で予測された動作可能時間と記録媒体に記録された映像や音声の所定の再生時間とを比較し、予測された動作可能時間が記録媒体に記録された映像や音声の所定の再生時間よりも短い場合には、予測された動作可能時間内に記録媒体に記録された映像や音声データを再生完了するように映像や音声の再生速度を所定の速度よりも高速に再生を行うように制御を行うことを特徴とする光ディスク再生装置。
【請求項２】
記録媒体に記録された映像データに基づく映像を所定の再生速度から任意に変更した映像を表示再生する表示手段を備えたことを特徴とする請求項１記載の光ディスク再生装置。
【請求項３】
使用する電池の種類を検出する手段を備え、検出された電池残容量を基にして装置が動作可能な時間を、検出された電池の種類に応じた最適な予測手段を備えたことを特徴とする請求項１及び２記載の光ディスク再生装置。
【発明の詳細な説明】
【技術分野】
【０００１】
本発明は、電源として電池を使用することが可能な光ディスク再生装置に関するものである。
【背景技術】
【０００２】
光ディスク再生装置の中で、電源として電池を使用することが可能な携帯型は何処ででも映画や音楽を視聴することが出来ることから大変利便性の高いものであり、近年液晶などの表示装置を具備した携帯型のＤＶＤ再生装置などが急激に普及してきている。
【０００３】
このような携帯型の再生装置に求められる要件は、いかに長時間の動作を実現できるかが課題となり、そのために装置の省電力化が必要となっている。特に消費電力が大きい表示装置においては特開２００２−１２３２４０号公報にもあるように、時間の経過とともに表示装置の画面の明るさを所定の明るさから徐々に暗くなるように制御することにより消費電力の低減を実現している。
【特許文献１】特開２００２−１２３２４０号公報
【発明の開示】
【発明が解決しようとする課題】
【０００４】
従来の技術による光ディスク再生装置では、消費電力を削減する取り組みが主体であり、再生を完了させることに主眼が置かれていなかった。このため記録媒体に記録された映像や音声の所定の再生時間が、電池の残容量により装置が再生可能な時間よりも長い場合にはこれを最後まで全て視聴することはできないという不都合があった。
【０００５】
本発明は上記問題点に鑑み、記録媒体に記録された映像や音声を最後まで視聴することができる光ディスク再生装置を提供することを目的とする。
【課題を解決するための手段】
【０００６】
上記課題を解決するために本発明の光ディスク再生装置は、映像や音声の再生速度を所定の速度から任意に変更する手段と、電源として使用している電池の残容量を検出する手段と、検出された電池残容量を基にして装置が動作可能な時間を予測する手段と、予測された動作可能時間と記録媒体に記録された映像や音声の所定の再生時間とを比較し、予測された動作可能時間が記録媒体に記録された映像や音声の所定の再生時間よりも短い場合には、予測された動作可能時間内に記録媒体に記録された映像や音声データを再生完了するように、映像や音声の再生速度を所定の速度よりも高速にするようにシステム制御を行う手段を備えたものである。
【発明の効果】
【０００７】
本発明によれば、電源として電池を使用することが可能な光ディスク再生装置において、記録媒体に記録された映像や音声の所定の再生時間が、電池の残容量により装置が再生可能な時間よりも長い場合であっても、再生速度を所定の速度よりも高速にすることにより、記録媒体に記録された映像や音声を最後まで視聴することができる光ディスク再生装置を提供することを目的とする。
【発明を実施するための最良の形態】
【０００８】
本発明の実施の形態による光ディスク再生装置は、記録媒体に記録された映像や音声データを読み出して用いる光ディスク再生装置であって、前記記録媒体から映像や音声データを再生する再生手段と、前記再生手段で再生された映像や音声の再生速度を所定の速度から任意に変更する再生速度変換手段と、電源として用いる電池の残容量を検出する残量検出手段と、前記残量検出手段で検出された電池残容量を基にして装置が動作可能な時間を予測する再生可能時間予測手段と、前記再生手段で再生する映像音声データの再生時間と前記再生可能時間予測手段で予測した動作可能時間とを比較し再生制御を行う制御手段とを備え、前記制御手段は、前記再生可能時間予測手段で予測された動作可能時間と記録媒体に記録された映像や音声の所定の再生時間とを比較し、予測された動作可能時間が記録媒体に記録された映像や音声の所定の再生時間よりも短い場合には、予測された動作可能時間内に記録媒体に記録された映像や音声データを再生完了するように映像や音声の再生速度を所定の速度よりも高速に再生を行うように制御を行う。
【０００９】
これにより、電源として電池を使用することが可能な光ディスク再生装置において、記録媒体に記録された映像や音声の所定の再生時間が、電池の残容量により装置が再生可能な時間よりも長い場合であっても、再生速度を所定の速度よりも高速にすることにより、記録媒体に記録された映像や音声を最後まで視聴することができる。
【００１０】
以下、本発明の実施の形態について、図面を用いて説明する。
【００１１】
（実施の形態１）
図１は本発明の実施の形態による光ディスク再生装置の概略構成を示したブロック図である。図２は記録媒体の再生時間と電池の残量電圧の変化との関係を示す特性図、図３は映像信号の高速再生の概念を示す模式図、図４は音声信号の高速再生の概念を示す特性図、図５は再生速度の倍率と電力増加の関係を示す特性図、図６は本装置の動作を説明するためのフローチャートである。
【００１２】
１０１は映像音声信号などの各種情報信号が記録された記録媒体である光ディスク、１０２は光ディスク１０１に記録された映像音声信号などの各種情報信号を再生する再生手段である光ピックアップ、１０３は光ピックアップ１０２により読み出された信号に対してピックアップ制御部１０７と共に光学系サーボループを構成し記録面上におけるレーザー光の集光と記録トラックの追従を行うＲＦ部、１０４はＲＦ部１０３からの映像や音声データの分離・伸張を行う信号処理手段である信号処理部、１０５は信号処理部１０４での信号処理の際に一時的に映像や音声データを蓄積する記憶手段であるＲＡＭ（ランダム・アクセス・メモリ）、１０６は信号処理部１０４から得られるＲＡＭ１０５におけるメモリ残量とスピンドル制御部１０８から得られるスピンドルモーター１０９の回転数情報により回転数目標値をスピンドル制御部１０８へ出力するシステム制御手段であるシステム制御部、１０７はＲＦ部１０３及びシステム制御部１０６からの制御により光ピックアップ１０２の動作を制御するピックアップ制御部、１０８はシステム制御部１０６から得られる回転数目標値とスピンドルモーター１０９から得られるＦＧ信号に基づきスピンドルモーター１０９を回転制御し光ディスク１０１を回転させるスピンドル制御部、１０９は実際に光ディスク１０１を回転させるスピンドルモーター、１１０は信号処理部１０４から得られたオーディオデータおよびビデオデータをシステム制御部１０６の要求に応じて、所定の再生速度よりも高速なオーディオデータおよびビデオデータに変換し、再び信号処理部１０４へ送信する再生速度変換手段である再生速度変換部、１１１は信号処理部１０４からの音声データをデジタル信号からアナログ信号に変換するオーディオＤＡＣ（デジタル・アナログ・コンバーター）、１１２はオーディオＤＡＣ１１１からのオーディオ信号を所定量（適正レベル）増幅するオーディオアンプ、１１３はオーディオアンプ１１２からのオーディオ信号を出力するスピーカー、１１４は信号処理部１０４からの映像データをデジタル信号からアナログ信号に変換するビデオＤＡＣ、１１５はビデオＤＡＣ１１４からの映像データを液晶表示部１１７で表示するのに最適な状態へ変換処理を施すビデオ信号処理部、１１６はシステム制御部１０６からの制御によりビデオ信号処理部１１５と液晶表示部１１７とバックライト１１８とを制御する液晶制御回路、１１７は液晶制御回路１１６からの制御によりビデオ信号処理部１１５からの映像データを表示する液晶制御部、１１８は液晶表示部１１７に光を照射するバックライト、１２３は本装置に内蔵あるいは外付けされ電源電圧を機器に供給する充電池で、本実施の形態では充電式の電池としたが、通常の乾電池であっても構わない。１２２は一般商用電源をＤＣ電圧に変換し電源回路１２４に電力を供給するＡＣアダプター、１２４は充電池１２３あるいはＡＣアダプター１２２からの電源電圧を本装置の各回路へ供給する電源回路、１２０は現在の電池電圧、消費電流、および電池温度等から充電池１２３の残容量を検出する電池残容量検出部、１２１は電池残容量検出部１２０からの検出結果に基づき終端電圧に達するまでの時間すなわち動作可能時間を予測する再生可能時間予測部、１１９は電源制御部、１２６は電源制御部１１９と電池残容量検出部１２０と再生可能時間予測部１２１と電源回路１２４と充電池１２３とからなる電源部、１２５は本装置の各種操作命令を入力する操作手段であるキーボードである。
【００１３】
光ピックアップ１０２とＲＦ部１０３と信号処理部１０４とＲＡＭ１０５とオーディオＤＡＣ１１１とオーディオアンプ１１２とスピーカー１１３とビデオＤＡＣ１１４とビデオ信号処理部１１５で再生手段を構成している。
【００１４】
以上のように構成された本実施の形態の光ディスク再生装置について、以下その動作について説明する。
【００１５】
光ピックアップ１０２は対物レンズによってレーザー光を集光して光ディスク１０１に記録された映像や音声データを読み出す。ＲＦ部１０３は、光ピックアップ１０２により読み出された信号に対してピックアップ制御部１０７と共に光学系サーボループを構成し記録面上におけるレーザー光の集光と記録トラックの追従を行う。
【００１６】
ＲＦ部１０３によって得られたデジタル信号は信号処理部１０４を介して、ＲＡＭ１０５に一時的に蓄えられる。
【００１７】
システム制御部１０６は信号処理部１０４から得られるＲＡＭ１０５におけるメモリ残量とスピンドル制御部１０８から得られるスピンドルモーター１０９の回転数情報により回転数目標値をスピンドル制御部１０８へ出力する。
【００１８】
スピンドル制御部１０８はシステム制御部１０６から得られる回転数目標値とスピンドルモーター１０９から得られるＦＧ信号に基づきスピンドルモーター１０９を回転制御し光ディスク１０１を回転させる。
【００１９】
信号処理部１０４では、映像や音声データの分離・伸張を行い、伸張されたオーディオデータはオーディオＤＡＣ１１１によってアナログのオーディオ信号に変換される。変換されたアナログのオーディオ信号は、オーディオアンプ１１２に送られ適正なレベルに増幅されスピーカー１１３に送られ、音声となる。
【００２０】
一方、信号処理部１０４により分離・伸張されたビデオデータはビデオＤＡＣ１１４によってアナログのビデオ信号に変換される。変換されたアナログのビデオ信号はビデオ信号処理部１１５へ送られ液晶表示部１１７で表示するのに最適な状態へ変換処理を施され液晶表示部１１７へ送られる。
【００２１】
バックライト１１８は液晶表示部１１７の裏面から光を投射し、映像表示を認識しやすいように液晶制御回路１１６からの制御信号により点灯あるいは明るさを変化させ、これにより液晶表示部１１７の表面に現れた透過光により人は映像を認識することができる。
【００２２】
ＡＣアダプター１２２は一般商用電源をＤＣ電圧に変換し電源回路１２４に電力を供給する。充電池１２３は電源制御部１１９の充電制御によりＡＣアダプター１２２からの電力を充電しＡＣアダプター１２２からの電力が供給されない場合には、ＡＣアダプター１２２に代わり電源回路１２４に電力を供給する。電源回路１２４は充電池１２３あるいはＡＣアダプター１２２から供給された電力を機器各部回路の要求する電圧に変換し、機器各部の回路に電力を供給する。
【００２３】
図２は電池残量を時間軸で表したカーブである。図２のように電池は定格電圧に相当する一定した電圧を一定時間出しているのではなく、前半部（再生時間：０〜６０分）および後半部（再生時間：１２０〜）では比較的大きく電圧が変化する。これに対し、中間部（再生時間：６０〜１２０分）は比較的時間軸に比例して電池電圧が減少している。
【００２４】
光ディスク１０１の再生開始後（図６のステップＳ６１）、電池残容量検出部１２０は、現在の電池電圧、消費電流、および電池温度等から電池の残容量を検出する（ステップＳ６２）。再生可能時間予測部１２１はこれらを元に終端電圧に達するまでの時間すなわち動作可能時間を予測する（ステップＳ６３）。
【００２５】
システム制御部１０６は、再生可能時間予測部１２１で予測された動作可能時間と、光ディスク１０１に記録された映像信号や音声信号の所定の再生時間（ステップＳ６４）とを比較し（ステップＳ６５）、予測された動作可能時間が光ディスク１０１に記録された映像信号や音声信号の所定の再生時間よりも長い場合には、現状のままの状態で再生を続行する（ステップＳ６７）。
【００２６】
逆に予測された動作可能時間が光ディスク１０１に記録された映像信号や音声信号の所定の再生時間よりも短い場合には、信号処理部１０４、ピックアップ制御部１０７、スピンドル制御部１０８へ高速再生の要求を出す（ステップＳ６６）。再生速度変換部１１０は信号処理部１０４から得られたオーディオデータおよびビデオデータをシステム制御部１０６の要求に応じて、所定の再生速度よりも高速なオーディオデータおよびビデオデータに変換し、再び信号処理部１０４へ返送する。
【００２７】
再生速度変換部１１０の動作について例として１．１倍速再生時の動作を図３を用いて説明する。図３（ａ）は所定の再生速度の場合の映像信号を示しており、１秒間にｎからｎ＋２９までの３０枚のフレームを有している。図３（ｂ）ではｎ＋５、ｎ＋１５、ｎ＋２５を間引き、図３（ｃ）ではこれを順に詰めていきｎ＋３２までの３０枚のフレームを１秒間に表示する。これにより１．１倍速の再生速度を得ることができる。
【００２８】
一方、音声は図４に示すように、図４（ａ）の原信号から無音部分Ｔｍ１及びＴｍ２をカットし、図４（ｂ）に示すようにゼロクロス部分で接続することにより違和感なく、音声信号を高速に再生することができる。
【００２９】
次に動作例として、映画の所定の再生時間が３時間、予測された再生可能時間が２時間３０分である場合の例を図５で説明する。図５は再生速度と高速再生したときに増加する電力との関係を示したものである。所定の再生速度のときの消費電力を６Ｗとすると、所定の速度で３時間再生すると、
６Ｗ×３ｈ＝１８Ｗｈ
となり、再生可能時間では、
６Ｗ×２．５ｈ＝１５Ｗｈ
から１５Ｗｈ以下にしなければならない。所定の再生速度を１．０とすると１．３倍速で再生するときに増加する消費電力は４％であることから、
６Ｗ×１．０４×３ｈ／１．３＝１４．４Ｗｈ
であるから、１．３倍速で高速再生すればよいことになる。
【００３０】
以上のように本実施の形態によれば、電源として充電池１２３を使用することが可能な光ディスク再生装置において、光ディスク１０１に記録された映像や音声の所定の再生時間が、充電池１２３の残容量により装置が再生可能な時間よりも長い場合であっても、再生速度変換部１１０で再生速度を所定の速度よりも高速にすることにより、光ディスク１０１に記録された映像や音声を最後まで視聴することができる。
【００３１】
なお、本実施の形態では、充電池で動作することを前提として説明したが、使用する電池の種類を検出する手段を備え、検出された電池残容量を基にして装置が動作可能な時間を、検出された電池の種類に応じた最適な予測手段を備える構成としてもよい。
【産業上の利用可能性】
【００３２】
以上のように、本発明にかかる光ディスク再生装置は、記録媒体に記録された映像や音声の所定の再生時間が、電池の残容量により装置が再生可能な時間よりも長い場合であっても、再生速度を所定の速度よりも高速にすることにより、記録媒体に記録された映像や音声を最後まで視聴することが必要な用途にも適用できる。
【図面の簡単な説明】
【００３３】
【図１】本発明の実施の形態による光ディスク装置の構成を示すブロック図
【図２】同光ディスク装置の電池残容量を示す特性図
【図３】同光ディスク装置の映像信号の高速再生時の動作を示す模式図
【図４】同光ディスク装置の音声信号の高速再生時の動作を示す波形図
【図５】同光ディスク装置の再生速度と増加する電力との関係を示す特性図
【図６】同光ディスク装置の動作制御を示すフローチャート
【符号の説明】
【００３４】
１０１    光ディスク
１０２    光ピックアップ
１０３    ＲＦ部
１０４    信号処理部
１０５    ＲＡＭ
１０６    システム制御部
１０７    ピックアップ制御部
１０８    スピンドル制御部
１０９    スピンドルモーター
１１０    再生速度変換部
１１１    オーディオＤＡＣ
１１２    オーディオアンプ
１１３    スピーカー
１１４    ビデオＤＡＣ
１１５    ビデオ信号処理部
１１６    液晶制御回路
１１７    液晶制御部
１１８    バックライト
１１９    電源制御部
１２０    電池残容量検出部
１２１    再生可能時間予測部
１２２    ＡＣアダプター
１２３    充電池
１２４    電源回路
１２５    キーボード
１２６    電源部
【図１】
2005235343.tif 000003
【図２】
2005235343.tif 000004
【図３】
2005235343.tif 000005
【図４】
2005235343.tif 000006
【図５】
2005235343.tif 000007
【図６】
2005235343.tif 000008